(57)【要約】【課題】製造コストの低減及び長期にわたる信頼性の向上を図るとともに、嵩張らないコンパクトな構成を実現して省スペース化を図ることができる脱気弁を得る。【解決手段】収納物Ｃを収納する袋体Ｂに取り付けて使用する脱気弁１であり、排気孔５Ａが中央部近傍に形成された底板５及び側板６からなる基体２と、凹凸嵌合部３Ａが中央下面に形成されるとともに排気孔３Ｂが形成され、基体２の上端部に取り付けられる蓋体３と、蓋体３の凹凸嵌合部３Ａに嵌合する凹凸嵌合部４Ａが中央上面に形成された、可撓性を有する弁部４Ｂを有する弁体４とを備え、基体２、蓋体３及び弁体４を組み付けた状態では、弁部４Ｂが底板５の排気孔５Ａの周囲に当接して底板５の排気孔５Ａが塞がれ、掃除機の吸引パイプＤを押し当てて吸引すると、弁部４Ｂが掃除機の吸引力により底板から引き離される。【選択図】図５
0003173542.tif 000002
【実用新案登録請求の範囲】
【請求項１】
収納物を出し入れする開口を開閉するファスナー付きの袋体に取り付けた状態で使用され、前記袋体の内部から外部への空気の流出を可能にしながら、前記袋体の外部から内部への空気の流入を防止する逆流防止機能を有する脱気弁であって、
排気孔が中央部又は中央部近傍に形成された底板及び前記底板の端縁から立起する側板からなる基体と、
凹凸嵌合部が中央下面に形成されるとともに、排気孔が形成され、前記基体の上端部に取り付けられる蓋体と、
前記蓋体の凹凸嵌合部に嵌合する凹凸嵌合部が中央上面に形成された、可撓性を有する円盤状の弁部を有する弁体とを備え、
前記蓋体の凹凸嵌合部に前記弁体の凹凸嵌合部を嵌合させ、前記蓋体を前記基体の上端部に取り付けた状態では、前記弁体の弁部が前記底板の排気孔の周囲に上方から当接して弾性変形した状態となり、前記弁部により前記底板の排気孔が塞がれることを特徴とする脱気弁。
【請求項２】
前記弁体の中央部下面を押さえる弁体押さえを前記基体に設けてなる請求項１記載の脱気弁。
【請求項３】
収納物を出し入れする開口を開閉するファスナー付きの袋体に取り付けた状態で使用され、前記袋体の内部から外部への空気の流出を可能にしながら、前記袋体の外部から内部への空気の流入を防止する逆流防止機能を有する脱気弁であって、
凹凸係合部が中央上面に形成され、その周囲に排気孔が形成されたた底板及び前記底板の端縁から立起する側板からなる基体と、
前記基体の凹凸嵌合部に嵌合する凹凸嵌合部が中央下面に形成された、可撓性を有する円盤状の弁部を有する弁体と、
前記弁体の中央部上面を押さえる弁体押さえが中央下面に設けられるとともに、排気孔が形成され、前記基体の上端部に取り付けられる蓋体と、
前記基体の凹凸嵌合部に前記弁体の凹凸嵌合部を嵌合させ、前記蓋体を前記基体の上端部に取り付けた状態では、前記弁体の弁部が前記底板の排気孔の周囲に上方から当接して弾性変形した状態となり、前記弁部により前記底板の排気孔が塞がれることを特徴とする脱気弁。
【請求項４】
請求項１〜３の何れかに記載の脱気弁を備えた脱気袋。
【考案の詳細な説明】
【技術分野】
【０００１】
本考案は、内側から外側への空気の流出を可能にしながら、外側から内側への空気の流入を防止する逆流防止機能を有する脱気弁及びこの脱気弁を備えた脱気袋に関するものである。
【背景技術】
【０００２】
空気を含んで嵩高となる布団等の収納物をファスナー付きの袋体に収納した状態で、掃除機により袋体に取り付けられた脱気弁から内部の空気を吸引することにより、扁平状に圧縮してコンパクトに収納することができる脱気袋（圧縮袋、圧縮収納袋）が広く使用されている。
このような脱気袋に用いる脱気弁として、弁板を排気孔に密着させるスプリング等をなくして比較的簡素な構成としたものがある（例えば、特許文献１及び２参照。）。
特許文献１の脱気弁は、フィルム状の弁体と、表側から裏側へと貫通する空気通路を備え、弁体が中央に固定される弁座部に、中心部から周囲へ向かうにつれて表側方向へと傾斜した弁体当接面を有する、板状の本体部材と、中央には円形の空気穴が形成され、裏側に、断面形状が三角形の弁体押さえが形成され、裏面側の形状を弁体当接面の傾斜に一致させた、円板状の弁体カバーとにより構成される。
また、特許文献２の脱気弁は、円盤状の弁板及び弁板の中央から、その板面に対して垂直に延びる円柱状の弁軸とからなる弁体と、収納袋内部の収納空間に連通状態に取り付けられ、円盤状の基板に筒状のホッパ及び筒ネジが突設された弁座と、上底を有する円筒形の収納部及び収納部下縁の開口からほぼ水平に張り出す円盤状の鍔部とからなり、弁座の筒ネジに螺合する筒ネジ及び弁体押さえが収納部下面に突設された、ハット状の弁蓋とにより構成される。
【先行技術文献】
【特許文献】
【０００３】
【特許文献１】特許第４００２５０８号公報
【特許文献２】登録実用新案第３１２９９８１号公報
【考案の概要】
【考案が解決しようとする課題】
【０００４】
特許文献１の脱気弁の構成では、弁体の中央部に形成された取付穴を本体部材の中央部に突設された弁体固定用突起に嵌め込むことにより、弁体が本体部材に取り付けられる。
また、本体部材の弁座部に形成した、中心部から周囲へ向かうにつれて表側方向へと傾斜した弁体当接面にフィルム状の弁体を添わせるように弁体を変形させた状態で、空気漏れを防止するために、弁座カバーに形成した、裏面側の形状を弁体当接面の傾斜に一致させた弁体押さえで押さえる必要があるととともに、このように弁体押さえにより弁体当接面に密着させた状態で弁体の開閉を可能にするために、弁体にスリットを形成して、例えば４枚の弁片を形成した四葉のクローバー状にしている。
したがって、本体部材、弁体及び弁体押さえの形状が比較的複雑なものとなっているため、製造コストの低減及び長期にわたる信頼性の向上という観点からは、改良の余地がある。
その上、２つ以上の脱気弁を積み重ねる際に安定するように、側壁の表面端部を突出させて裏側端部（弁座部の外周部分）に嵌合させていることから、使用状態では却って上下方向の高さが高くなっているため、よりコンパクトに構成して省スペース化を図るという観点からも、改良の余地がある。
【０００５】
特許文献２の脱気弁の構成では、弁体の弁軸先端部に形成した大径の頭部を弾性変形させて、弁座の中央部に形成した止め環をくぐらせることにより、弁体の頭部が復元して止め環から抜け止めされた状態となり、弁体が弁座に取り付けられる。
また、弁体に軸方向に長い弁軸を形成する必要があり、弁座の裏面に止め環を形成するための円筒状の部分を形成する必要があり、弁座の表面に筒状のホッパ及び筒ネジを形成する必要があるとともに、弁蓋の下面に弁座の筒ネジに螺合する筒ネジ及び弁体押さえを突設する必要がある。
したがって、弁座、弁体及び弁蓋の形状が比較的複雑なものとなっているため、製造コストの低減及び長期にわたる信頼性の向上という観点からは、改良の余地がある。
その上、上述の弁座への弁体及び弁蓋の取付構造から、脱気弁の厚みが比較的大きくなるとともに、脱気弁を脱気袋に取り付けた状態で脱気袋の表面から突出する部分の高さが比較的高くなっているため、よりコンパクトに構成して省スペース化を図るという観点からも、改良の余地がある。
【０００６】
そこで、本考案が前述の状況に鑑み、解決しようとするところは、特許文献１及び２のような比較的簡素な構成の脱気弁と比べて、さらに、基体（特許文献１では本体部材、特許文献２では弁座）、弁体及び蓋体（特許文献１では弁体カバー、特許文献２では弁蓋）の形状を単純化することにより、製造コストの低減及び長期にわたる信頼性の向上を図ることができるとともに、より嵩張らないコンパクトな構成を実現して省スペース化を図ることができる脱気弁及び脱気袋を提供する点にある。
【課題を解決するための手段】
【０００７】
本考案に係る脱気弁は、前記課題解決のために、収納物を出し入れする開口を開閉するファスナー付きの袋体に取り付けた状態で使用され、前記袋体の内部から外部への空気の流出を可能にしながら、前記袋体の外部から内部への空気の流入を防止する逆流防止機能を有する脱気弁であって、排気孔が中央部又は中央部近傍に形成された底板及び前記底板の端縁から立起する側板からなる基体と、凹凸嵌合部が中央下面に形成されるとともに、排気孔が形成され、前記基体の上端部に取り付けられる蓋体と、前記蓋体の凹凸嵌合部に嵌合する凹凸嵌合部が中央上面に形成された、可撓性を有する円盤状の弁部を有する弁体とを備え、前記蓋体の凹凸嵌合部に前記弁体の凹凸嵌合部を嵌合させ、前記蓋体を前記基体の上端部に取り付けた状態では、前記弁体の弁部が前記底板の排気孔の周囲に上方から当接して弾性変形した状態となり、前記弁部により前記底板の排気孔が塞がれることを特徴とする。
【０００８】
このような構成によれば、袋体に脱気弁を取り付けた状態では、弁体の可撓性を有する弁部が基体の底板の排気孔の周囲に上方から当接し、弾性変形した状態となっていることから、弾性変形の復元力により弁部が底板の排気孔の周囲に密着した状態が維持され、袋体の内部と外部とにわたる、底板の排気孔から蓋体の排気孔に繋がる空気流路が確実に閉鎖される。
この状態で、ファスナーを開いて袋体内に収納物を入れてファスナーを閉じ、掃除機の吸引パイプの先端を脱気弁の蓋体表面に押し当て、掃除機を作動させることにより、可撓性を有する弁部が掃除機の吸引力により底板から引き離され、底板の排気孔から蓋体の排気孔に繋がる空気流路が開放されるため、袋体内部の空気が脱気弁を通って外部に排出される。
所要の空気の排出が終わった時点で、掃除機の吸引パイプの先端を蓋体の表面から離間させると、掃除機の吸引力がなくなることから、可撓性を有する弁部が底板の排気孔の周囲に上方から当接し、弾性変形して密着した状態に復帰し、この状態では、袋体内部が負圧になっているため、可撓性を有する弁部は、弾性変形の復元力に加えて大気圧によっても底板の排気孔の周囲に強く押し付けられ、袋体内を脱気した状態が長期間にわたって確実に維持される。
【０００９】
その上、基体に、特許文献１のような傾斜面である弁体当接面又は特許文献２のような止め環並びに筒状のホッパ及び筒ネジを形成する必要がなく、弁体に、特許文献１のようなスリット及び弁片又は特許文献２のような軸方向に長い弁軸及びその先端の頭部を形成する必要がなく、蓋部に、特許文献１のような弁体当接面の傾斜に一致させた弁体押さえ又は特許文献２のような筒ネジを突設する必要がないことから、基体、弁体及び蓋体の形状が単純化されるため、製造コストの低減及び長期にわたる信頼性の向上を図ることができる。
その上さらに、特許文献１及び２のような表面から突出する部分がなく、特許文献２のように弁体及び基体（弁座）が厚くなることがないため、より嵩張らないコンパクトな構成を実現して省スペース化を図ることができる。
【００１０】
ここで、前記弁体の中央部下面を押さえる弁体押さえを前記基体に設けてなると好ましい。
このような構成によれば、弁体の中央部下面が基体の弁体押さえにより押さえられるため、大気圧により弁部を袋体の内方へ押す力が作用した際における弁体の脱落を長期にわたって確実に防止することができる。
【００１１】
また、本考案に係る脱気弁は、前記課題解決のために、収納物を出し入れする開口を開閉するファスナー付きの袋体に取り付けた状態で使用され、前記袋体の内部から外部への空気の流出を可能にしながら、前記袋体の外部から内部への空気の流入を防止する逆流防止機能を有する脱気弁であって、凹凸係合部が中央上面に形成され、その周囲に排気孔が形成されたた底板及び前記底板の端縁から立起する側板からなる基体と、前記基体の凹凸嵌合部に嵌合する凹凸嵌合部が中央下面に形成された、可撓性を有する円盤状の弁部を有する弁体と、前記弁体の中央部上面を押さえる弁体押さえが中央下面に設けられるとともに、排気孔が形成され、前記基体の上端部に取り付けられる蓋体と、前記基体の凹凸嵌合部に前記弁体の凹凸嵌合部を嵌合させ、前記蓋体を前記基体の上端部に取り付けた状態では、前記弁体の弁部が前記底板の排気孔の周囲に上方から当接して弾性変形した状態となり、前記弁部により前記底板の排気孔が塞がれることを特徴とする。
【００１２】
このような構成によれば、袋体に脱気弁を取り付けた状態では、弁体の可撓性を有する弁部が基体の底板の排気孔の周囲に上方から当接し、弾性変形した状態となっていることから、弾性変形の復元力により弁部が底板の排気孔の周囲に密着した状態が維持され、袋体の内部と外部とにわたる、底板の排気孔から蓋体の排気孔に繋がる空気流路が確実に閉鎖される。
この状態で、ファスナーを開いて袋体内に収納物を入れてファスナーを閉じ、掃除機の吸引パイプの先端を脱気弁の蓋体表面に押し当て、掃除機を作動させることにより、可撓性を有する弁部が掃除機の吸引力により底板から引き離され、底板の排気孔から蓋体の排気孔に繋がる空気流路が開放されるため、袋体内部の空気が脱気弁を通って外部に排出される。
所要の空気の排出が終わった時点で、掃除機の吸引パイプの先端を蓋体の表面から離間させると、掃除機の吸引力がなくなることから、可撓性を有する弁部が底板の排気孔の周囲に上方から当接し、弾性変形して密着した状態に復帰し、この状態では、袋体内部が負圧になっているため、可撓性を有する弁部は、弾性変形の復元力に加えて大気圧によっても底板の排気孔の周囲に強く押し付けられ、袋体内を脱気した状態が長期間にわたって確実に維持される。
【００１３】
その上、基体に、特許文献１のような傾斜面である弁体当接面又は特許文献２のような止め環並びに筒状のホッパ及び筒ネジを形成する必要がなく、弁体に、特許文献１のようなスリット及び弁片又は特許文献２のような軸方向に長い弁軸及びその先端の頭部を形成する必要がなく、蓋部に、特許文献１のような弁体当接面の傾斜に一致させた弁体押さえ又は特許文献２のような筒ネジを突設する必要がないことから、基体、弁体及び蓋体の形状が単純化されるため、製造コストの低減及び長期にわたる信頼性の向上を図ることができる。
その上さらに、特許文献１及び２のような表面から突出する部分がなく、特許文献２のように弁体及び基体（弁座）が厚くなることがないため、より嵩張らないコンパクトな構成を実現して省スペース化を図ることができる。
その上、弁体の中央部上面が蓋体の弁体押さえにより押さえられるため、掃除機の吸引力により弁部を袋体の外方へ押す力が作用した際における弁体の脱落を長期にわたって確実に防止することができる。
【００１４】
本考案に係る脱気袋は、前記脱気弁を備えたものである。
【考案の効果】
【００１５】
以上のように、本考案に係る脱気弁及び脱気袋によれば、特許文献１及び２のような比較的簡素な構成の脱気弁と比べて、さらに、基体、弁体及び蓋体の形状を単純化することにより、製造コストの低減及び長期にわたる信頼性の向上を図ることができるとともに、より嵩張らないコンパクトな構成を実現して省スペース化を図ることができるという顕著な効果を奏する。
【図面の簡単な説明】
【００１６】
【図１】本考案の実施の形態１に係る脱気弁の斜視図である。
【図２】同じく縦断正面図である。
【図３】同じく分解斜視図である。
【図４】同じく底面図である。
【図５】脱気弁に掃除機の吸引パイプの先端を当てて脱気袋内部の空気を吸引している状態を示す縦断正面図である。
【図６】本考案の実施の形態２に係る脱気弁の縦断正面図である。
【考案を実施するための形態】
【００１７】
次に本考案の実施の形態を添付図面に基づき詳細に説明するが、本考案は、添付図面に示された形態に限定されず実用新案登録請求の範囲に記載の要件を満たす実施形態の全てを含むものである。
なお、以下において、図５に示す脱気袋Ａの上面に脱気弁１を位置させて、その上方から近づけた掃除機の吸引パイプＤの先端を脱気弁Ａの蓋体３に当てた状態を基準にして、脱気弁１の上下方向を定義するとともに、この基準状態で側方（径方向外側）から見た図を正面図とする。
【００１８】
実施の形態１．
図５の縦断正面図に示すように、本考案の実施の形態１に係る脱気弁１は、脱気袋Ａに用いられるものであり、すなわち、布団又は衣類等の収納物Ｃを出し入れする開口を開閉するファスナー付きの袋体Ｂに取り付けた状態で使用され、袋体Ｂの内部から外部への空気の流出を可能にしながら、袋体Ｂの外部から内部への空気の流入を防止する逆流防止機能を有する。
図１の斜視図、図２の縦断正面図及び図３の分解斜視図に示すように、脱気弁１は、基体２並びに基体２の上端部に取り付けられる蓋体３及び蓋体３に取り付けられる弁体４からなり、基体２及び蓋体３は、ポリアセタール、ポリプロピレン又はナイロン等の合成樹脂により形成され、弁体４は、シリコーンゴム、ふっ素ゴム又はウレタンゴム等の可撓性を有する素材により形成される。
【００１９】
基体２は、平面視略円形の底板５及び底板５の端縁（周縁）から立起する略円環状の側板６からなり、底板５の中央部には弁体押さえ５Ｃが配設され、弁体押さえ５Ｃの径方向外方には平面視略円環状の排気孔５Ａが形成され、底板５の径方向内側端部（排気孔５Ａの周囲）上面には円環状凸部５Ｂが突設される。
また、図４の底面図に示すように、底板５の下面には、径方向に延びて長さの異なるフィン５Ｅ，５Ｆ，５Ｇ，…が設けられ、底面視十字状のフィン５Ｅ，５Ｅ，…により弁体押さえ５Ｃが支持されており、図３の斜視図に示すように、底板５の上面にも径方向に延びるフィン５Ｈ，５Ｈ，…が設けられる。
さらに、図２及び図３に示すように、側板６の上端部には径方向外方へ延びる平面視略円環状の鍔部６Ａが設けられ、側板６の上端部内面には周溝部６Ｂが形成される。
【００２０】
図２及び図３に示すように、蓋体３は、平面視略円形であり、その中央下面には凹凸嵌合部である嵌合凹部３Ａが形成され、嵌合凹部３Ａの径方向外方には通気孔３Ｂ，３Ｂ，…が形成され、端縁（周縁）には、基体２の側板６の周溝部６Ｂに係合する鍔状凸部３Ｄが形成される。
また、弁体４は、中央上面に、蓋体３の嵌合凹部３Ａに嵌合する凹凸嵌合部である嵌合凸部４Ａが形成されるとともに、可撓性を有する円盤状の弁部４Ｂを有する。
よって、弁体４の嵌合凸部４Ａを蓋体３の嵌合凹部３Ａに嵌合することにより、弁体４は蓋体３に容易に取り付けられて蓋体３により支持される。
なお、蓋体３の凹凸嵌合部を嵌合凸部とし、弁体４の凹凸嵌合部を嵌合凹部としてもよい。
【００２１】
蓋体３に弁体４を取り付けた状態で、比較的薄肉に形成された蓋体３を弾性変形させながら、蓋体３の鍔状凸部３Ｄを基体２の周溝部６Ｂに係合させることにより、図１及び図２に示すように、蓋体３は基体２の上端部に容易に取り付けることができる。
なお、基体２及び蓋体３並びに蓋体３及び弁体４は、上述のような取付構造に加えて接着により強固に固定してもよい。
以上のように基体２、蓋体３及び弁体４を組み付けてなる脱気弁１は、図５に示すように、収納物Ｃを出し入れする開口を開閉するファスナー付きの袋体Ｂに形成した丸孔の周囲下面が、鍔部６Ａの上面に熱溶着又は接着等により密着固定され、袋体Ｂに取り付けられた状態となり、脱気袋Ａとなる。
【００２２】
次に、脱気弁１の動作について説明する。
上述のように袋体Ｂに脱気弁１を取り付けた状態では、図２に示すように、弁体４の可撓性を有する弁部４Ｂが基体２の底板５の排気孔５Ａの周囲（円環状凸部５Ｂ）に上方から当接し、弾性変形した状態となっていることから、弾性変形の復元力により弁部４Ｂが底板５の排気孔５Ａの周囲に密着した状態が維持され、袋体Ｂの内部と外部とにわたる、底板５の排気孔５Ａから蓋体３の排気孔３Ｂに繋がる空気流路が確実に閉鎖される。
この状態で、ファスナーを開いて袋体Ｂ内に収納物Ｃを入れてファスナーを閉じ、図５に示すように、掃除機の吸引パイプＤの先端を脱気弁１の蓋体３上面（表面）に押し当て、掃除機を作動させることにより、可撓性を有する弁部４Ｂが掃除機の吸引力により底板５（円環状凸部５Ｂ）から引き離され、底板５の排気孔５Ａから蓋体３の排気孔３Ｂに繋がる空気流路が開放されるため、袋体Ｂ内部の空気が脱気弁１を通って外部に排出される。
所要の空気の排出が終わった時点で、掃除機の吸引パイプＤの先端を蓋体３の上面から離間させると、掃除機の吸引力がなくなることから、可撓性を有する弁部４Ｂが底板５の排気孔５Ａの周囲（円環状凸部５Ｂ）に上方から当接し、弾性変形して密着した図２に示す状態に復帰し、この状態では、袋体Ｂ内部が負圧になっているため、可撓性を有する弁部４Ｂは、弾性変形の復元力に加えて大気圧によっても底板５の排気孔５Ａの周囲に強く押し付けられ、袋体Ｂ内を脱気した状態が長期間にわたって確実に維持される。
【００２３】
以上のような脱気弁１の構成によれば、基体２に、特許文献１のような傾斜面である弁体当接面又は特許文献２のような止め環並びに筒状のホッパ及び筒ネジを形成する必要がなく、弁体４に、特許文献１のようなスリット及び弁片又は特許文献２のような軸方向に長い弁軸及びその先端の頭部を形成する必要がなく、蓋部３に、特許文献１のような弁体当接面の傾斜に一致させた弁体押さえ又は特許文献２のような筒ネジを突設する必要がないことから、基体２、弁体４及び蓋体３の形状が単純化されるため、製造コストの低減及び長期にわたる信頼性の向上を図ることができる。
また、特許文献１及び２のような表面から突出する部分がなく、図５に示すように脱気弁１が袋体Ｂの上面（表面）と略面一になり、特許文献２のように弁体及び基体（弁座）が厚くなることがないため、より嵩張らないコンパクトな構成を実現して省スペース化を図ることができる。
さらに、弁体４の中央部下面が基体２の弁体押さえ５Ｃにより押さえられるため、大気圧により弁部４Ｂを袋体Ｂの内方へ押す力が作用した際における弁体４Ｂの脱落を長期にわたって確実に防止することができる。
【００２４】
実施の形態２．
図６の縦断正面図に示す本考案の実施の形態２に係る脱気弁１において、実施の形態１の図２と同一符号は同一又は相当部分を示している。
実施の形態２における実施の形態１との相違点は、基体２により弁体４を支持するように構成したものであり、基体２の中央上面に凹凸係合部である嵌合凹部５Ｄを形成し、実施の形態１と同一形状の弁体４の上下を反対にして使用している。なお、蓋体３については、実施の形態１と同一形状のものを使用しているが、図２の凹凸嵌合部である嵌合凹部３Ａにより弁体４を押さえるように構成しているため、このような機能の相違に基づき、弁体押さえ３Ｃとして、符号を変えている。
すなわち、図６に示す実施の形態２に係る脱気弁１では、基体２の底板５の中央上面に形成された嵌合凹部５Ｄに、弁体４の中央下面に形成された凹凸嵌合部である嵌合凸部４Ｂを嵌合することにより、弁体４は基体２に容易に取り付けられて基体２により支持され、蓋体３の中央下面に垂設された弁体押さえ３Ｃにより弁体４の中央部上面が押さえられる。
以上のような実施の形態２の構成によっても実施の形態１と同様の作用効果を奏する。
また、弁体４の中央部上面が蓋体３の弁体押さえ３Ｃにより押さえられるため、掃除機の吸引力により弁部４を袋体Ｂの外方へ押す力が作用した際における弁体４の脱落を長期にわたって確実に防止することができる。
【符号の説明】
【００２５】
Ａ  脱気袋
Ｂ  袋体
Ｃ  収納物
Ｄ  吸引パイプ
１  脱気弁
２  基体
３  蓋体
３Ａ  嵌合凹部（凹凸嵌合部）
３Ｂ  排気孔
３Ｃ  弁体押さえ
３Ｄ  鍔状凸部
４  弁体
４Ａ  嵌合凸部（凹凸嵌合部）
４Ｂ  弁部
５  底板
５Ａ  排気孔
５Ｂ  円環状凸部
５Ｃ  弁体押さえ
５Ｄ  嵌合凹部（凹凸係合部）
５Ｅ，５Ｆ，５Ｇ，５Ｈ  フィン
６  側板
６Ａ  鍔部
６Ｂ  周溝部
【図１】
0003173542.tif 000003
【図２】
0003173542.tif 000004
【図３】
0003173542.tif 000005
【図４】
0003173542.tif 000006
【図５】
0003173542.tif 000007
【図６】
0003173542.tif 000008